(57)【要約】【課題】排熱が適切に利用される住宅用熱利用システムを提供すること【解決手段】制御装置３４は、生ごみの状態（重量）に基づき、生ごみ処理装置３３に燃料電池３１からの排熱を利用させて生ごみ処理を行わせる。また、制御装置３４は、ユーザによる蛇口２２ａ〜２４ａの操作又は操作パネル２４ｂへの操作に基づき、熱回収装置３２に排熱を利用させて給湯装置４０用の温水を生成させる。そして、制御装置３４は、生ごみ処理が行われる期間と、温水生成期間が重複した場合、生ごみ処理装置３３への排熱の利用を制限し、生ごみ処理より温水の生成を優先させることとした。これにより、排熱を利用した生ごみ処理を可能にしても、温水の生成への影響が抑えられる。【選択図】      図１
2018054173.tif 000002
【特許請求の範囲】
【請求項１】
電力を発生させる発電装置と、
電力の発生時に前記発電装置から排出される排熱を利用して温水を生成する温水生成装置と、
前記排熱を利用して生ごみ処理を行う生ごみ処理装置と、
前記温水生成装置と前記生ごみ処理装置とにおける前記排熱の利用状況を制御する制御装置と、を備え、
前記生ごみ処理装置は、前記生ごみ処理の要求を出力し、
前記制御装置は、前記生ごみ処理装置から前記生ごみ処理の要求を取得した場合に、前記温水生成装置による温水生成の実施状況に基づいて、前記生ごみ処理を実施させることを特徴とする住宅用熱利用システム。
【請求項２】
前記制御装置は、前記生ごみ処理の要求を取得した場合において、前記温水生成装置による温水生成の要求が生じていなければ、前記生ごみ処理の要求に応じて当該生ごみ処理を実施させ、前記温水生成装置による温水生成の要求が生じていれば、前記生ごみ処理よりも優先して前記温水生成装置による温水生成を実施させる請求項１に記載の住宅用熱利用システム。
【請求項３】
前記制御装置は、前記生ごみ処理の実施中において前記温水生成装置による温水生成の要求が生じた場合に、前記生ごみ処理を中断させるとともに、前記温水生成の終了後に前記生ごみ処理を再開させる請求項１又２に記載の住宅用熱利用システム。
【請求項４】
前記温水生成装置は、浴槽の湯張りに用いる温水を生成するものであり、
前記制御装置は、前記湯張り用の温水の生成開始から湯張り終了までの期間において、前記生ごみ処理の要求を取得しても前記生ごみ処理の実施を制限し、前記温水生成装置により温水を生成させる請求項１乃至３のいずれか１項に記載の住宅用熱利用システム。
【請求項５】
前記制御装置は、前記湯張り用の温水の生成開始から湯張り終了までの期間と、それに引き続き設定された所定の風呂利用期間とにおいて、前記生ごみ処理の要求を取得しても前記生ごみ処理の実施を制限し、前記温水生成装置により温水を生成させる請求項４に記載の住宅用熱利用システム。
【請求項６】
前記制御装置は、前記生ごみ処理の実施中において前記温水生成装置による温水生成の要求が生じた場合に、その温水生成の要求が前記浴槽の湯張り用の要求でなく、かつ前記温水生成装置の温水貯留槽における温水残留量が所定量以上であれば、前記生ごみ処理を中断することなく継続させる請求項４又は５に記載の住宅用熱利用システム。
【請求項７】
前記生ごみ処理装置は、生ごみ貯留槽内への生ごみの投入に応じて、前記生ごみ処理の要求を出力するものであり、
前記制御装置は、前記生ごみ処理装置から前記生ごみ処理の要求を取得したことに基づいて、前記生ごみ処理を実施させる請求項１乃至６のいずれか１項に記載の住宅用熱利用システム。
【請求項８】
前記制御装置は、前記生ごみ処理の要求を取得した場合において、前記発電装置が停止状態であり、かつ所定時間が経過するまでに前記発電装置の起動予定が入っていなければ、前記所定時間の経過よりも前に前記発電装置を起動させる請求項１乃至７のいずれか１項に記載の住宅用熱利用システム。
【請求項９】
前記発電装置は、発電状態下において所定の停止要求に応じて停止状態に移行するものであり、
前記制御装置は、前記生ごみ処理の実施中において前記発電装置の停止要求が生じた場合に、前記生ごみ処理の終了まで前記発電装置の発電を継続させる請求項１乃至８のいずれか１項に記載の住宅用熱利用システム。
【発明の詳細な説明】
【技術分野】
【０００１】
本発明は、住宅において発電装置から排出される排熱を利用する住宅用熱利用システムに関するものである。
【背景技術】
【０００２】
熱利用システムとしては、例えば、燃料電池などの発電装置と、発電装置から電力発生時に排出される排熱を利用して温水を生成する温水生成装置と、を備えたコージェネレーションシステムがある（例えば、特許文献１参照）。排熱を利用して水の温度を高くすることにより、エネルギーの利用効率を高くすることができる。
【０００３】
また、電力発生時に排出される排熱は、温水を生成する以外にも、さまざまな用途に利用できる。例えば、生ごみ処理装置では、生ごみを処理する際に生ごみを加熱する必要があるため（例えば、特許文献２参照）、このような生ごみ処理装置に排熱を利用させることも考えられる。
【先行技術文献】
【特許文献】
【０００４】
【特許文献１】特開２００３−３２９２９２号公報
【特許文献２】特開２００７−２２２７０６号公報
【発明の概要】
【発明が解決しようとする課題】
【０００５】
そこで、住宅用熱利用システムとして、排熱を利用して温水を生成する温水生成装置と、排熱を利用して生ごみ処理を行う生ごみ処理装置と、を共に備えた熱利用システムが考えられている。このような熱利用システムとすれば、いずれの装置に対しても排熱を利用させることにより、エネルギーの利用効率をさらに高くすることができると考えられている。
【０００６】
しかしながら、温水生成装置と生ごみ処理装置を共に備えた場合、生ごみ処理装置が排熱を利用するために、温水生成装置による温水の生成に影響が生じる。この場合、ユーザが所望する時、例えば浴槽に温水を貯める湯張り時において温水の生成に支障が出るおそれがあり、温水のユーザを待たせることに伴う不都合が懸念される。
【０００７】
本発明は、上記事情に鑑みてなされたものであり、排熱が適切に利用される住宅用熱利用システムを提供することを主たる目的とするものである。
【課題を解決するための手段】
【０００８】
以下、上記課題を解決するのに有効な手段等につき、必要に応じて作用、効果等を示しつつ説明する。なお以下においては、理解の容易のため、発明の実施の形態において対応する構成の符号を括弧書き等で適宜示すが、この括弧書き等で示した具体的構成に限定されるものではない。
【０００９】
第１の発明は、電力を発生させる発電装置（３１）と、電力の発生時に前記発電装置から排出される排熱を利用して温水を生成する温水生成装置（３２）と、前記排熱を利用して生ごみ処理を行う生ごみ処理装置（３３）と、前記温水生成装置と前記生ごみ処理装置とにおける前記排熱の利用状況を制御する制御装置（３４）と、を備え、前記生ごみ処理装置は、前記生ごみ処理の要求を出力し、前記制御装置は、前記生ごみ処理装置から前記生ごみ処理の要求を取得した場合に、前記温水生成装置による温水生成の実施状況に基づいて、前記生ごみ処理を実施させることを特徴とする。
【００１０】
住宅においては風呂場、洗面所、キッチン等において温水が使用され、その温水使用時において、ユーザは蛇口を開くことで直ぐさま、すなわち待たずに温水が供給されることを期待する。これに対して、生ごみ処理の場合は、処理完了を待たせても不都合が少ないと考えられる。この点、上記構成によれば、生ごみ処理装置から生ごみ処理の要求を出力される場合に、温水生成装置による温水生成の実施状況に基づいて、生ごみ処理が実施される。これにより、生ごみ処理より温水の生成が優先されて、温水の生成への影響が抑えられる。そのため、排熱が適切に利用されて温水を素早く生成することができ、ユーザの利便性が向上する。
【００１１】
第２の発明は、前記制御装置は、前記生ごみ処理の要求を取得した場合において、前記温水生成装置による温水生成の要求が生じていなければ、前記生ごみ処理の要求に応じて当該生ごみ処理を実施させ、前記温水生成装置による温水生成の要求が生じていれば、前記生ごみ処理よりも優先して前記温水生成装置による温水生成を実施させることを特徴とする。
【００１２】
これにより、生ごみ処理の要求が生じる場合において、温水生成装置による温水生成の要求が生じているか生じていないかに応じて、生ごみ処理と温水生成との優先度が適宜加味されてこれらが実施される。したがって、温水の生成への影響を防止できる。
【００１３】
第３の発明は、前記制御装置は、前記生ごみ処理の実施中において前記温水生成装置による温水生成の要求が生じた場合に、前記生ごみ処理を中断させるとともに、前記温水生成の終了後に前記生ごみ処理を再開させることを特徴とする。
【００１４】
これにより、温水の生成を優先して生ごみ処理を中断したとしても、温水生成の終了後、生ごみ処理が再開される。このため、温水の生成を優先しつつ、生ごみの処理を可能な限りすばやく処理できる。
【００１５】
第４の発明は、前記温水生成装置は、浴槽の湯張りに用いる温水を生成するものであり、前記制御装置は、前記湯張り用の温水の生成開始から湯張り終了までの期間において、前記生ごみ処理の要求を取得しても前記生ごみ処理の実施を制限し、前記温水生成装置により温水を生成させることを特徴とする。
【００１６】
温水が浴槽の湯張りに使用される場合、比較的多量の温水が必要となる。この点、上記構成によれば、湯張り用の温水の生成開始から湯張り終了までの期間において、生ごみ処理の要求を取得しても生ごみ処理の実施が制限され、温水生成が実施される。これにより、浴槽の湯張りを優先的に実施させることができる。
【００１７】
第５の発明は、前記制御装置は、前記湯張り用の温水の生成開始から湯張り終了までの期間と、それに引き続き設定された所定の風呂利用期間とにおいて、前記生ごみ処理の要求を取得しても前記生ごみ処理の実施を制限し、前記温水生成装置により温水を生成させることを特徴とする。
【００１８】
温水が風呂場にて使用される場合、その温水は浴槽の湯張りに使用されることに加え、シャワー等により使用されることが考えられ、いずれにしても比較的多量の温水が必要となる。この点、上記構成によれば、湯張り用の温水の生成開始から湯張り終了までの期間と、それに引き続き設定された所定の風呂利用期間とにおいて、生ごみ処理の要求を取得しても生ごみ処理の実施が制限され、温水生成が実施される。これにより、浴槽の湯張りだけでなくその後のシャワー等の使用も考慮しつつ、優先的に温水生成を実施させることができる。
【００１９】
第６の発明は、前記制御装置は、前記生ごみ処理の実施中において前記温水生成装置による温水生成の要求が生じた場合に、その温水生成の要求が前記浴槽の湯張り用の要求でなく、かつ前記温水生成装置の温水貯留槽（４１）における温水残留量が所定量以上であれば、前記生ごみ処理を中断することなく継続させることを特徴とする。
【００２０】
住宅における温水生成の要求は、風呂場での使用時に生じるだけでなく、洗面所やキッチンでの温水使用時にも生じる。ただし、風呂場での使用時と比べると、洗面所やキッチンでは温水の使用量が少なくなると考えられる。この点を考慮して、生ごみ処理の実施中において温水生成の要求が生じた場合に、その温水生成の要求が浴槽の湯張り用の要求でなく、かつ温水生成装置の温水貯留槽における温水残留量が所定量以上であれば、生ごみ処理を中断することなく継続させるようにした。これにより、ユーザの温水使用の要求を満たしつつ、必要以上に生ごみ処理を中断させることを抑制できる。
【００２１】
第７の発明は、前記生ごみ処理装置は、生ごみ貯留槽（３３ａ）内への生ごみの投入に応じて、前記生ごみ処理の要求を出力するものであり、前記制御装置は、前記生ごみ処理装置から前記生ごみ処理の要求を取得したことに基づいて、前記生ごみ処理を実施させることを特徴とする。
【００２２】
生ごみ処理装置では、生ごみ貯留槽内への生ごみの投入に応じて生ごみ処理の要求が出力される。つまり、生ごみ処理装置側の都合に応じて、排熱を利用して生ごみ処理が実施されることとなる。この場合、温水生成の期間に重複して生ごみ処理が要求されることが生じ得る。この点、上記のとおり、生ごみ処理の要求が取得された場合に、温水生成装置による温水生成の実施状況に基づいて、生ごみ処理を実施させるようにしたため、温水生成のための排熱利用と生ごみ処理のための排熱利用との優先度を考慮しつつ、好適に排熱利用を実施させることができる。
【００２３】
第８の発明は、前記制御装置は、前記生ごみ処理の要求を取得した場合において、前記発電装置が停止状態であり、かつ所定時間が経過するまでに前記発電装置の起動予定が入っていなければ、前記所定時間の経過よりも前に前記発電装置を起動させることを特徴とする。
【００２４】
住宅においては各種の電気負荷（家電設備等）での電力使用量やその他の要求に応じて発電装置が発電状態又は停止状態になることが考えられる。この場合、発電装置が停止されている状態下では生ごみ処理が実施できず、さらに発電装置の起動予定が現時点から遅いタイミングであると、生ごみが処理できずに長時間放置されたままとなる。この点、上記構成によれば、生ごみ処理の要求を取得した場合において、発電装置が停止状態であり、かつ所定時間が経過するまでに発電装置の起動予定が入っていなければ、所定時間の経過よりも前に発電装置が起動される。これにより、生ごみが処理できずに長時間放置されたままとなることを抑制できる。
【００２５】
第９の発明は、前記発電装置は、発電状態下において所定の停止要求に応じて停止状態に移行するものであり、前記制御装置は、前記生ごみ処理の実施中において前記発電装置の停止要求が生じた場合に、前記生ごみ処理の終了まで前記発電装置の発電を継続させることを特徴とする。
【００２６】
上記構成によれば、生ごみ処理の実施中において発電装置の停止要求が生じた場合に、生ごみ処理の終了まで発電装置の発電が継続される。これにより、生ごみ処理が完了していないまま生ごみが放置されるといった不都合を抑制できる。
【図面の簡単な説明】
【００２７】
【図１】コージェネレーションシステムの概略を示すブロック図。
【図２】切替処理を示すフローチャート。
【図３】起動処理を示すフローチャート。
【図４】温水の生成タイミングと、生ごみ処理の実行タイミングを示すタイミングチャート。
【発明を実施するための形態】
【００２８】
以下、本発明を具体化した一実施形態について説明する。図１は、住宅用熱利用システムとしてのコージェネレーションシステム１０を示す図である。図１に示すように、住宅２０に隣接して設けられるコージェネレーションシステム１０は、住宅２０に電力（電気）を供給する発電ユニット３０と、住宅２０に温水を供給する給湯装置４０を備える。
【００２９】
発電ユニット３０は、電力を発生させる発電装置としての燃料電池３１と、電力の発生時に燃料電池３１から排出される排熱を利用（回収）する熱回収装置３２と、生ごみ処理を行う生ごみ処理装置３３と、排熱の利用状況を制御する制御装置３４と、を備える。
【００３０】
まず、燃料電池３１について説明する。燃料電池３１は、図示しない導管と接続されており、コージェネレーションシステム１０の外部から導管を介して燃料ガス（例えば、都市ガス）を供給可能に構成されている。そして、燃料電池３１は、外部から供給された燃料ガスと水蒸気を反応させて水素を取り出し、取り出した水素と酸素に基づき、電力と水を発生させる機能を有する。
【００３１】
燃料電池３１は、電力を生ごみ処理装置３３とインバータ３１ａに供給可能に接続されており、電力を発生させた場合、生ごみ処理装置３３とインバータ３１ａに供給する。インバータ３１ａは、燃料電池３１から供給された電力の状態を住宅２０で利用可能な状態に変更する機能を有する。具体的には、インバータ３１ａは、燃料電池３１から直流電流が供給されるため、住宅２０で利用可能な交流電流に変更する。そして、インバータ３１ａは、住宅２０に電力を供給可能に接続されており、住宅２０において利用可能な状態に電力を変更した場合、住宅２０に供給する。
【００３２】
燃料電池３１は、運転状態が移行した時、運転状態を通知する状態通知信号を出力する機能を有する。具体的には、燃料電池３１は、電力を発生させない停止状態に移行した時には、停止信号を出力する。一方、燃料電池３１は、電力を発生させる発電状態に移行した時には、発電信号を出力する。
【００３３】
次に熱回収装置３２について説明する。熱回収装置３２は、燃料電池３１が電力を発生させた場合に排出される排熱を利用（回収）可能となるように、燃料電池３１と接続されている。そして、熱回収装置３２は、燃料電池３１が電力を発生させたときに排出される排熱を利用し、水蒸気や温水を生成する熱回収機能を有する。
【００３４】
例えば、熱回収装置３２は、水道管と接続されており、水道管を介して外部から常温の水が供給される。熱回収装置３２は、燃料電池３１からの排熱を利用して、外部から供給された常温の水の温度を高めて給湯装置４０用の温水を生成する機能を有する。常温の水は、外部温度と平衡となっている温度を有する水のことである。温水とは、常温よりも温度が高い水のことであり、本実施形態における給湯装置４０用の温水は、６０℃〜７０℃程度の水のことである。そして、熱回収装置３２は、水道管を介して給湯装置４０と接続されており、給湯装置４０用の温水を生成した場合、給湯装置４０に温水を供給する。以上により、熱回収装置３２は、電力の発生時に燃料電池３１から排出される排熱を利用して温水を生成する温水生成装置として機能する。
【００３５】
また、熱回収装置３２は、燃料電池３１からの排熱を利用して、生ごみ処理装置３３が利用可能な排熱として高温の水蒸気を生成する機能を有する。そして、熱回収装置３２は、水蒸気が通過する導管を介して生ごみ処理装置３３と接続されており、水蒸気を生成した場合、生ごみ処理装置３３に水蒸気を供給する。このため、熱回収装置３２は、生ごみ処理装置３３に水蒸気（排熱）を利用させることが可能に構成されている。
【００３６】
次に、生ごみ処理装置３３について説明する。生ごみ処理装置３３は、生ごみを貯留する生ごみ貯留槽３３ａと、貯留槽内の空気を循環させるためのファン３３ｂと、生ごみを撹拌するための撹拌機３３ｃと、生ごみの状態を検知するセンサ３３ｄを備えている。
【００３７】
生ごみ貯留槽３３ａには、生ごみが投入される投入口が設けられている。生ごみ貯留槽３３ａは、投入口から投入された生ごみを一定量貯留可能に構成されている。生ごみ貯留槽３３ａは、熱回収装置３２から供給される排熱としての水蒸気を利用して、その内部を加熱可能に構成されている。つまり、生ごみ処理装置３３は、生ごみ処理を行う際、水蒸気の熱を利用して、生ごみ貯留槽３３ａ内の生ごみを加熱し、生ごみ貯留槽３３ａ内の生ごみを乾燥させる機能を有する。生ごみ貯留槽３３ａの内部を加熱するために利用され、温度が低くなった水蒸気（又は水）は、図示しない導管を介して熱回収装置３２に戻される。すなわち、生ごみ処理装置３３と熱回収装置３２との間で、水蒸気（又は水）が循環するように構成されている。循環させることにより、生ごみ処理のために、外部から水が供給される必要や、利用済みの水を排出する必要がなくなる。生ごみ貯留槽３３ａは、生ごみ処理がなされた処理済みの廃棄物（乾燥したごみ）を外部に排出するための排出口が設けられている。なお、投入口と排出口を別に設けたが、１つにまとめてもよい。
【００３８】
生ごみ処理装置３３のファン３３ｂは、水蒸気が供給されて生ごみ処理が行われる場合、燃料電池３１から供給された電力を利用して回転し、生ごみ貯留槽３３ａ内の空気を排出するとともに、外部の空気と入れ替える機能を有する。生ごみ貯留槽３３ａの内部を換気することにより、生ごみの乾燥を補助する。生ごみ処理装置３３の撹拌機３３ｃは、水蒸気が供給されて生ごみ処理が行われる場合、燃料電池３１から供給された電力を利用して、生ごみ貯留槽３３ａ内の生ごみを撹拌する機能を有する。生ごみ貯留槽３３ａ内の生ごみを撹拌することにより、生ごみ貯留槽３３ａ内の生ごみの乾燥が均一となり、乾燥を補助する。
【００３９】
生ごみ処理装置３３は、生ごみ貯留槽３３ａへの生ごみの投入に応じて、生ごみ処理の要求を出力する。例えば、生ごみ処理装置３３が備えるセンサ３３ｄは、生ごみ貯留槽３３ａ内の生ごみの重量を検知することができる。生ごみ処理装置３３は、センサ３３ｄが検知した生ごみの重量が所定の第１閾値以上となった場合、生ごみ処理の要求を示す処理要求信号を出力する機能を有する。
【００４０】
なお、生ごみ処理装置３３は、生ごみの重量以外の契機に基づき、生ごみ処理の要求を出力してもよい。例えば、生ごみ処理装置３３が備える操作ボタンへの操作に基づき、生ごみ処理の要求を出力してもよいし、予め決められた開始時刻が経過したことにより、生ごみ処理の要求を出力してもよい。また、生ごみ処理装置３３は、生ごみの重量以外の生ごみの状態（においや量など）を検知するセンサを設け、生ごみの状態に基づき生ごみ処理の要求を出力してもよい。
【００４１】
そして、生ごみ処理装置３３は、生ごみ処理の要求を出力した後、所定条件が成立した場合に、生ごみ処理が完了したことを出力する。例えば、生ごみ処理装置３３は、センサ３３ｄが検知した生ごみの重量が所定の第２閾値以下（第２閾値＜第１閾値）となった場合、生ごみ処理が完了したことを判定し、生ごみ処理の完了を示す処理完了信号を出力する機能を有する。
【００４２】
なお、生ごみ処理装置３３は、生ごみの重量以外の契機に基づき、生ごみ処理が完了したことを出力してもよい。例えば、生ごみ処理装置３３が備える操作ボタンへの操作に基づき、生ごみ処理が完了したことを出力してもよいし、生ごみ処理が行われた処理時間に基づき、生ごみ処理が完了したことを出力してもよい。また、生ごみの状態（においや量など）を検知するセンサを設け、生ごみの状態に基づき生ごみ処理が出力したことを通知してもよい。
【００４３】
次に制御装置３４について説明する。制御装置３４は、ＣＰＵなどの制御手段とＲＯＭやＲＡＭなどの記憶手段を備えている。そして、記憶手段には、後述する切替処理や起動処理など各種処理を制御手段に実行させるためのプログラムが記憶されている。
【００４４】
制御装置３４は、生ごみ処理装置３３と接続されており、生ごみ処理装置３３から生ごみ処理の要求を示す処理要求信号と処理完了信号を入力可能となっている。制御装置３４は、給湯装置４０と接続されており、給湯装置４０から温水生成の要求を示す生成要求信号を入力可能となっている。制御装置３４は、燃料電池３１と接続されており、燃料電池３１に電力を発生させることを要求する起動要求信号と、燃料電池３１に電力の発生を停止させることを要求する停止要求信号と、を出力可能となっている。制御装置３４は、燃料電池３１から状態通知信号（停止信号、発電信号）を入力可能となっており、状態通知信号を入力すると、入力した状態通知信号に基づき、燃料電池３１の運転状態（停止状態、発電状態）を記憶手段に記憶する。
【００４５】
制御装置３４は、ユーザが操作可能な制御パネル３４ａを備える。制御装置３４は、制御パネル３４ａがユーザにより操作された場合、ユーザの操作に応じて、燃料電池３１に電力を発生させることを要求する起動要求と、燃料電池３１に電力の発生を停止させることを要求する停止要求と、を生じさせることが可能となっている。また、制御装置３４は、制御パネル３４ａがユーザにより操作された場合、ユーザの操作に応じて、起動要求が生じる時刻と、停止要求が生じる時刻と、を設定可能となっている。
【００４６】
制御装置３４は、熱回収装置３２と接続されており、熱回収装置３２における排熱の利用状況を制御可能に構成されている。具体的には、制御装置３４は、熱回収装置３２に燃料電池３１からの排熱を利用させ、熱回収装置３２に給湯装置４０用の温水を生成可能に構成されている。また、制御装置３４は、熱回収装置３２に燃料電池３１からの排熱を利用させ、熱回収装置３２に生ごみ処理装置３３用の水蒸気を生成可能に構成されている。この水蒸気は、生ごみ処理装置３３に供給されて生ごみ処理に利用されるため、制御装置３４は、生ごみ処理装置３３に燃料電池３１からの排熱を利用させて、生ごみ処理を実施させることが可能に構成されているといえる。
【００４７】
次に給湯装置４０について説明する。給湯装置４０は、熱回収装置３２から供給される温水を貯留する温水貯留槽４１を備える。給湯装置４０は、水道管を介して温水を供給可能に住宅２０における洗面所２２、キッチン２３、及び風呂場２４などの各設備とそれぞれ接続されている。給湯装置４０は、温水貯留槽４１に貯留されていた温水を各設備に供給する場合、制御装置３４に温水生成の要求を示す生成要求信号を出力する。なお、給湯装置４０は、温水貯留槽４１における温水残留量が所定量以上である場合、制御装置３４に温水生成の要求を示す生成要求信号を出力しないようにしてもよい。
【００４８】
次に、住宅２０について説明をする。住宅２０には、電力（電気）を取得するためのコンセント２１（プラグの差し込み口）が設けられており、発電ユニット３０から供給された電力は、コンセント２１を介して利用可能となっている。
【００４９】
また、住宅２０には、洗面所２２、キッチン２３、風呂場２４などにおいて、給湯装置４０から温水が供給される設備が設けられている。各設備には、ユーザにより操作可能な操作手段がそれぞれ設けられている。操作手段としては、例えば、蛇口２２ａ〜２４ａがある。蛇口２２ａ〜２４ａの栓が緩められた場合（蛇口２２ａ〜２４ａが操作された場合）、各設備に給湯装置４０から温水がそれぞれ供給される。給湯装置４０が温水を供給した場合、給湯装置４０は、制御装置３４に温水生成の要求を示す生成要求信号を出力する。このため、ユーザにより操作可能な操作手段としての蛇口２２ａ〜２４ａへの操作に基づき、制御装置３４が温水生成の要求を取得するといえる。なお、温水が各設備に供給される際、加水されて、温水の温度が調整されてもよい。
【００５０】
また、風呂場２４には、蛇口２２ａ〜２４ａとは別に、操作手段として、例えば、操作パネル２４ｂが設けられている。操作パネル２４ｂが操作されることにより、風呂場２４における温水の利用予定情報を制御装置３４に設定させることが可能となっている。
【００５１】
詳しく説明すると、利用予定情報には、風呂場２４の浴槽への温水の貯留（いわゆる湯張り）を開始する時刻である利用時刻と、浴槽へ温水を貯留するために必要な温水量を示す必要温水量が含まれる。風呂場２４の操作パネル２４ｂがユーザにより操作されることにより、利用時刻及び必要温水量を含む利用予定情報が決定可能とされている。利用時刻及び必要温水量を含む利用予定情報が決定された場合、制御装置３４に、決定された利用予定情報が出力される。制御装置３４は、利用予定情報を入力した場合、入力した利用予定情報を記憶手段に設定（記憶）する。制御装置３４は、記憶手段に設定されている利用予定情報に基づき、温水を生成させる（詳しくは後述する）。したがって、ユーザにより操作可能な操作手段としての操作パネル２４ｂへの操作に基づき、制御装置３４に温水生成の要求が生じるといえる。
【００５２】
なお、本実施形態では、利用時刻及び必要温水量を含む利用予定情報が設定された場合、利用時刻となると、設定された量の温水が浴槽に貯留されるまで、自動的に浴槽へ温水を供給する蛇口２４ａの栓が開放される。なお、給湯装置４０は、設定された量の温水が浴槽に貯留された場合、湯張り終了を示す終了信号を制御装置３４に出力する。
【００５３】
以上のように、本実施形態のコージェネレーションシステム１０は、電力の発生時に燃料電池３１から排出される排熱を、給湯装置４０に供給させる温水の生成と、生ごみ処理装置３３が行う生ごみ処理に、利用している。これにより、電力の発生時に燃料電池３１から排出される排熱が、温水の生成又は生ごみ処理のいずれか一方だけに利用させる場合と比較して、エネルギー効率が高くなる。
【００５４】
しかしながら、温水が生成される期間と、生ごみ処理が実施される期間とが重複した場合、温水の生成又は生ごみ処理に影響が出ることとなる。温水使用時において、ユーザは蛇口２２ａ〜２４ａを開くことで直ぐさま、すなわち待たずに温水が供給されることを期待している。このため、仮に生ごみ処理を優先して温水の生成に影響が生じた場合、ユーザを待たせるおそれがある。その一方、生ごみの処理は、生ごみの状態（重量）に基づき実行されるものであり、また、生ごみを加熱して乾燥させるためには温水の生成と比較して時間を要する可能性が高い。また、そもそも生ごみ処理が完了することにより、排出される廃棄物（乾燥したごみ）は、ユーザにより利用されるものではない。このため、温水の生成と比較して、ユーザが生ごみ処理の完了を待っている可能性は低い。そこで、本実施形態では、制御装置３４に以下の処理を実行させることにより、温水の生成を生ごみ処理よりも優先して行わせるようにしている。以下、詳しく説明する。
【００５５】
まず、温水を生成するための処理について説明する。制御装置３４は、温水生成の要求が生じた場合、温水を生成させるように構成されている。詳しく説明すると、制御装置３４は、給湯装置４０から温水生成の要求を示す生成要求信号を入力した場合、熱回収装置３２に燃料電池３１からの排熱を利用させて給湯装置４０用の温水を生成させる。これにより、給湯装置４０への温水の供給が開始される。そして、給湯装置４０から生成要求信号を入力しなくなった場合、制御装置３４は、熱回収装置３２に給湯装置４０用の温水を生成させることを停止させる。これにより、給湯装置４０への温水の供給が終了される。なお、制御装置３４は、温水貯留槽４１における温水残留量が所定量以上である場合、給湯装置４０用の温水を生成させなくてもよい。
【００５６】
また、湯張り用の温水生成を行わせるために、利用予定情報が記憶されている場合、この利用予定情報に基づき、温水生成の要求が生じる。詳しく説明すると、制御装置３４は、記憶手段に利用予定情報が記憶されている場合、利用予定情報に含まれる利用時刻と必要温水量に基づき、必要貯湯時間を算出する。必要貯湯時間は、例えば、必要温水量を単位時間あたりに生成可能な温水量を除算することにより算出される。制御装置３４は、必要貯湯時間を算出した後、利用時刻よりも前に湯張り用の温水生成の開始時刻を決定する。その際、開始時刻から終了時刻までの時間が、算出した必要貯湯時間と一致し、かつ終了時刻が利用時刻と一致するように、開始時刻及び終了時刻を決定する。なお、開始時刻が利用時刻よりも早ければ、終了時刻と利用時刻が一致するようにしなくてもよい。
【００５７】
そして、制御装置３４は、決定した開始時刻の経過後、熱回収装置３２に燃料電池３１からの排熱を利用させて給湯装置４０用の温水を生成させる。これにより、給湯装置４０へ湯張り用の温水が供給される。また、制御装置３４は、決定した終了時刻の経過後、熱回収装置３２に給湯装置４０用の温水を生成させることを停止させる。これにより、給湯装置４０へ湯張り用の温水が供給されなくなる。
【００５８】
以上のように温水の生成は、生ごみ処理とは関係なく行われる。すなわち、制御装置３４は、熱回収装置３２による温水生成の要求が生じていれば、生ごみ処理よりも優先して熱回収装置３２による温水生成を実施させる。
【００５９】
次に、図２に基づき、生ごみ処理装置３３に生ごみ処理を実行させるための切替処理について説明する。切替処理は、所定周期ごとに、制御装置３４により実行される。
【００６０】
制御装置３４は、生ごみ処理装置３３から処理要求信号を入力したか否か、すなわち、生ごみ処理の要求を取得したか否かについて判定する（ステップＳ１０１）。処理要求信号を入力しなかったと判定した場合（ステップＳ１０１：Ｎｏ）、切替処理を終了する。
【００６１】
一方、処理要求信号を入力した場合（ステップＳ１０１：Ｙｅｓ）、制御装置３４は、湯張り用の温水の生成開始から湯張り終了までの期間であるか否かを判定する（ステップＳ１０２）。より詳しくは、制御装置３４は、湯張り用の温水生成の開始時刻から浴槽に設定された量の温水が浴槽に貯留されるまでの期間であるか否かを判定する。このステップＳ１０２により、制御装置３４は、生ごみ処理が実施される期間が、湯張り用の温水の生成開始から湯張り終了までの期間と重複していないことについて判定する。
【００６２】
なお、湯張り終了したか否かについて、制御装置３４は、必要温水量の温水を生成したか否かによって判定してもよいし、給湯装置４０から湯張り終了を示す終了信号を入力したか否かによって判定してもよい。また、ステップＳ１０２において、制御装置３４は、記憶されている利用時刻から現在時刻を減算した時間が、算出した必要貯湯時間以上であるときには、期間が重複していないと判定（否定判定）してもよい。また、ステップＳ１０２において、制御装置３４は、利用予定情報（利用時刻及び必要温水量）が記憶（設定）されていない場合には、常に否定判定する（湯張り用の温水の生成開始から湯張り終了までの期間でないと判定する）。
【００６３】
湯張り用の温水の生成開始から湯張り終了までの期間でないと判定した場合（ステップＳ１０２：Ｎｏ）、制御装置３４は、給湯装置４０から生成要求信号を入力したか否かを判定する（ステップＳ１０３）。このステップＳ１０３において、制御装置３４は、湯張り以外に用いられる温水の生成要求が生じたか否かを判定する。
【００６４】
生成要求信号を入力していないと判定した場合（ステップＳ１０３：Ｎｏ）、制御装置３４は、生ごみ処理装置３３に排熱を利用させる（ステップＳ１０４）。つまり、制御装置３４は、温水生成の要求が生じていないと判定した場合、熱回収装置３２に高温の水蒸気を生成させ、生成させた水蒸気を生ごみ処理装置３３に供給させる。そして、制御装置３４は、生ごみ処理装置３３にこの水蒸気の熱を利用させて、生ごみ処理を実施させる。
【００６５】
次に、制御装置３４は、ステップＳ１０４の処理が行われてから待機時間Ｔ１を経過したか否かを判定する（ステップＳ１０５）。待機時間Ｔ１を経過していなかった場合（ステップＳ１０５：Ｎｏ）、制御装置３４は、所定時間経過後、再び待機時間Ｔ１を経過したか否かを判定する（ステップＳ１０５）。一方、待機時間Ｔ１を経過した場合（ステップＳ１０５：Ｙｅｓ）、制御装置３４は、生ごみ処理が完了したか否かを判定する（ステップＳ１０６）。ステップＳ１０６において、制御装置３４は、生ごみ処理装置３３から処理完了信号を入力していた場合、生ごみ処理が完了したと判定する。なお、制御装置３４は、生ごみ処理が行われていた処理時間（水蒸気の供給時間）に基づき、生ごみ処理が完了したか否かを判定してもよい。
【００６６】
生ごみ処理が完了したと判定した場合（ステップＳ１０６：Ｙｅｓ）、制御装置３４は、生ごみ処理装置３３への排熱の利用を停止させる（ステップＳ１０７）。つまり、制御装置３４は、熱回収装置３２に水蒸気を生成させることを停止させ、水蒸気の供給を終了させる。そして、制御装置３４は、切替処理を終了する。一方、生ごみ処理が完了していないと判定した場合（ステップＳ１０６：Ｎｏ）、制御装置３４は、再びステップＳ１０２の処理を行う。このため、制御装置３４は、待機時間Ｔ１が経過するごとに、生ごみ処理が実施される期間と、温水の生成がされる期間とが重複しているか否かを判定することとなる。
【００６７】
一方、ステップＳ１０２の処理において、湯張り用の温水の生成開始から湯張り終了までの期間であると判定した場合（ステップＳ１０２：Ｙｅｓ）、制御装置３４は、生ごみ処理装置３３による排熱（水蒸気）の利用を制限（停止）する（ステップＳ１０８）。また、ステップＳ１０３の処理において、生成要求信号を入力したと判定した場合（ステップＳ１０３：Ｙｅｓ）、制御装置３４は、生ごみ処理装置３３による排熱（水蒸気）の利用を制限（停止）する（ステップＳ１０８）。
【００６８】
すなわち、制御装置３４は、生ごみ処理が実施される期間が温水生成の期間と重複すると判定した場合、熱回収装置３２に生ごみ処理装置３３に利用させる高温の水蒸気を生成させない。これにより、温水生成期間中、燃料電池３１からの排熱が生ごみ処理に利用されなくなる。そして、制御装置３４は、生ごみ処理に利用されなくなった排熱を熱回収装置３２に利用させて給湯装置４０用の温水を優先的に生成させる。
【００６９】
これらのステップＳ１０２及びステップＳ１０３の処理は、生ごみ処理の実施中であっても、待機時間Ｔ１が経過するごとに実行される。このため、制御装置３４は、生ごみ処理の実施中において熱回収装置３２による温水生成の要求が生じた場合に、生ごみ処理を中断させるといえる。
【００７０】
その後、制御装置３４は、温水の生成が終了したか否かを判定する（ステップＳ１０９）。温水の生成が終了していない場合（ステップＳ１０９：Ｎｏ）、制御装置３４は、所定時間経過後、再び温水の生成が終了したか否かを判定する（ステップＳ１０９）。温水の生成が終了した場合（ステップＳ１０９：Ｙｅｓ）、制御装置３４は、ステップＳ１０６の処理を実行する。生ごみ処理が完了していなければ、ステップＳ１０２の処理に移行するので、生ごみ処理が再開可能となる。つまり、制御装置３４は、温水生成の終了後に生ごみ処理を再開させる。
【００７１】
以上のように、制御装置３４が、このような切替処理を実行することにより、生ごみ処理装置３３から生ごみ処理の要求を取得した場合に、熱回収装置３２による温水生成の実施状況に基づいて、生ごみ処理を実施させる。
【００７２】
また、本実施形態では、制御パネル３４ａがユーザにより操作されることにより、制御装置３４は、燃料電池３１に対する起動要求や停止要求を取得可能となっている。しかしながら、生ごみ処理は時間を必要とすることから、ユーザの要求に基づき、電力の発生及び停止を自由に実行させた場合、生ごみ処理が滞る場合がある。そこで、制御装置３４は、以下のような起動処理を所定周期ごとに行っている。
【００７３】
図３に示すように、制御装置３４は、燃料電池３１の運転状態が電力を発生させている発電状態であるか否かを判定する（ステップＳ２０１）。
【００７４】
発電状態である場合（ステップＳ２０１：Ｙｅｓ）、制御装置３４は、制御パネル３４ａがユーザにより操作されて、停止要求が生じたか否かを判定する（ステップＳ２０２）。停止要求を取得していない場合（ステップＳ２０２：Ｎｏ）、制御装置３４は、起動処理を終了する。
【００７５】
一方、停止要求が生じた場合（ステップＳ２０２：Ｙｅｓ）、制御装置３４は、生ごみ処理の実施中であるか否かを判定する（ステップＳ２０３）。ステップＳ２０３において、制御装置３４は、処理要求信号を入力してから処理完了信号を入力していないのであれば、生ごみ処理の実施中であると判定する。
【００７６】
生ごみ処理の実施中であると判定した場合（ステップＳ２０３：Ｙｅｓ）、制御装置３４は、ステップＳ２０３を処理してから所定時間を経過した後、再びステップＳ２０３の処理を実行する。
【００７７】
一方、生ごみ処理の実施中でないと判定した場合（ステップＳ２０３：Ｎｏ）、制御装置３４は、停止要求信号を出力し、燃料電池３１による電力の発生を停止させ、停止状態に移行させる（ステップＳ２０４）。そして、制御装置３４は、起動処理を終了する。これにより、制御装置３４は、生ごみ処理の実施中において燃料電池３１の停止要求が生じた場合に、生ごみ処理の終了まで燃料電池３１の発電を継続させる。このため、燃料電池３１が電力を発生しなくなることにより、電力の発生が再開されるまで生ごみの処理が中断されたまま、完了しないという事態を防止できる。
【００７８】
一方、発電状態でない（すなわち、停止状態である）と判定した場合（ステップＳ２０１：Ｎｏ）、制御装置３４は、生ごみ処理の要求を取得したか否かを判定する（ステップＳ２０５）。生ごみ処理の要求を取得していない場合（ステップＳ２０５：Ｎｏ）、制御装置３４は、起動要求が生じているか否かを判定する（ステップＳ２０６）。起動要求が生じている場合（起動要求が生じる時刻が設定されていれば、その時刻に）、制御装置３４は、起動要求信号を出力し、燃料電池３１を起動させ、電力を発生させる（ステップＳ２０７）。そして、制御装置３４は、起動処理を終了する。
【００７９】
一方、生ごみ処理の要求を取得した場合（ステップＳ２０５：Ｙｅｓ）、制御装置３４は、所定時間が経過するまでに起動要求が生じるか否かを判定する（ステップＳ２０８）。つまり、制御装置３４は、所定時間が経過するまでに燃料電池３１の起動予定が入っているか否かを判定する。所定時間は、生ごみをそのまま放置してもよい時間として定められているとよく、例えば、１時間としてもよい。所定時間が経過するまでに起動要求が生じる場合（ステップＳ２０８：Ｙｅｓ）、制御装置３４は、起動処理を終了する。
【００８０】
一方、所定時間が経過するまでに起動要求が生じない場合（ステップＳ２０８：Ｎｏ）、制御装置３４は、所定時間の経過よりも前に、起動要求信号を出力し、燃料電池３１を起動させ、電力を発生させ（ステップＳ２０７）、起動処理を終了する。本実施形態では、ステップＳ２０８の判定直後に、制御装置３４は、起動要求信号を出力する。これにより、燃料電池３１が停止状態であっても、生ごみ処理の要求が生じた場合、制御装置３４は、所定時間が経過する前に、生ごみ処理装置３３に生ごみ処理を実施させることとなる。
【００８１】
次に、図４に基づき、以上のように構成されたコージェネレーションシステム１０において、生ごみ処理の要求がされた場合に、どのようなタイミングで生ごみ処理が行われるかについて説明する。
【００８２】
図４（ａ）では、生ごみの処理要求が生じた後、温水生成の要求が生じる前に、生ごみ処理が完了する場合における生ごみ処理のタイミングについて図示している。図４（ａ）に示すように、生ごみの処理要求が生じた時（時点ＴＡ１）、温水の生成が開始されていないため、制御装置３４は、水蒸気を生ごみ処理装置３３に供給させて、生ごみ処理を開始させる。そして、図４（ａ）では、生ごみ処理が完了するまで、温水生成の要求が生じないため、制御装置３４は、生ごみ処理を継続し、生ごみ処理を完了させる（時点ＴＡ２）。その後、温水生成の要求が生じて、温水の生成が開始された時（時点ＴＡ３）、制御装置３４は、温水を生成させて給湯装置４０に供給させる。そして、温水の生成が終了する（時点ＴＡ４）。このように、生ごみ処理の期間と、温水生成の期間が重複しない場合、それぞれ生ごみ処理や温水の生成が完了するまで行われる。このため、排熱の利用効率を高めることができる。
【００８３】
図４（ｂ）では、生ごみの処理要求が生じた後、生ごみ処理が完了する前に、温水生成の要求が生じる場合における生ごみ処理のタイミングについて図示している。図４（ｂ）に示すように、生ごみの処理要求が生じた時（時点ＴＢ１）、温水の生成が開始されていないため、制御装置３４は、水蒸気を生ごみ処理装置３３に供給させて、生ごみ処理を開始させる。そして、図４（ｂ）では、生ごみ処理が完了する前に（時点ＴＢ２）、温水生成の要求が生じる。温水生成の要求が生じると（時点ＴＢ２）、制御装置３４は、生ごみ処理装置３３による排熱（水蒸気）の利用を禁止するとともに、熱回収装置３２に排熱を利用させて給湯装置４０用の温水を生成させる。
【００８４】
そして、温水の生成が終了すると（時点ＴＢ３）、制御装置３４は、生ごみ処理装置３３に排熱（水蒸気）を供給させて、生ごみ処理を再開させる。そして、生ごみ処理を完了させる（時点ＴＢ４）。このように、生ごみ処理の実施中に、温水生成の要求が生じた場合、温水の生成が優先される。そして、温水生成の終了後に中断されていた生ごみ処理が再開される。このため、温水の生成を優先しつつ、生ごみの処理を可能な限りすばやく処理できる。
【００８５】
図４（ｃ）では、温水生成の要求が生じた後、温水の生成中に、生ごみの処理要求が生じる場合における生ごみ処理のタイミングについて図示している。図４（ｃ）に示すように、温水生成の要求が生じて温水の生成が開始された時（時点ＴＣ１）、制御装置３４は、熱回収装置３２に排熱を利用させて給湯装置４０用の温水を生成させる。
【００８６】
そして、図４（ｃ）では、温水の生成中に、生ごみ処理の要求が生じる（時点ＴＣ２）。この時、温水の生成中であるため、制御装置３４は、生ごみ処理装置３３による排熱（水蒸気）の利用を制限する。そして、温水の生成が終了した時（時点ＴＣ３）、制御装置３４は、生ごみ処理装置３３に排熱（水蒸気）を供給させて、生ごみ処理を開始させる。そして、生ごみ処理を完了させる（時点ＴＣ４）。このように、温水の生成中、生ごみ処理の要求が生じた場合、温水の生成を優先する。そして、温水生成期間の終了後に生ごみ処理を開始させている。このため、温水の生成を優先しつつ、生ごみの処理を可能な限りすばやく処理できる。
【００８７】
以上詳述した本実施形態によれば、以下の優れた効果が得られる。
【００８８】
生ごみを加熱して乾燥させるため、生ごみの処理には、時間を要する。また、生ごみの処理が完了することをユーザが待っていることは少ない。その一方、温水生成の要求はユーザによる蛇口２２ａ〜２４ａの操作等に基づき行われ、温水の生成をユーザが待っている可能性は高い。そこで、温水の生成中、生ごみ処理装置３３への排熱の利用を制限し、生ごみ処理より温水の生成を優先させることとした。これにより、排熱を利用した生ごみ処理を可能にしても、温水の生成への影響が抑えられる。したがって、生ごみ処理にも排熱を利用しつつ、温水を素早く生成することができ、温水のユーザを待たせることがなくなり、ユーザの利便性が向上する。
【００８９】
浴槽へ温水を供給する場合、大量の温水が短時間に必要となる。このため、利用時刻が決定されている場合には、利用時刻よりも前に温水の生成を開始させ、温水貯留槽４１に温水を貯留しておくことが望ましい。そこで、利用時刻よりも前に湯張り用の温水生成が開始された場合、湯張りが終了するまで、生ごみ処理よりも温水の生成を優先させることとした。これにより、生ごみ処理により浴槽へ供給する温水の生成に影響を与えることがない。このため、浴槽へ温水を供給する場合に、ユーザを待たせることがない。
【００９０】
生ごみ処理装置３３では、生ごみ貯留槽３３ａ内へ生ごみが投入され、センサ３３ｄが生ごみの重量が第１閾値以上となった検出した場合に、生ごみ処理の要求が出力される。つまり、生ごみ処理装置３３側の都合に応じて、排熱を利用して生ごみ処理が実施されることとなる。一方、温水生成の要求は、生ごみ処理装置３３側の都合に関係なく、例えば、蛇口２２ａ〜２４ａの操作等に基づき、生じる。このため、温水生成の期間に重複して生ごみ処理が要求されることが生じ得る。この点、上記のとおり、生ごみ処理の要求が取得された場合に、熱回収装置３２による温水生成の実施状況に基づいて、生ごみ処理を実施させるようにしたため、温水生成のための排熱利用と生ごみ処理のための排熱利用との優先度を考慮しつつ、好適に排熱利用を実施させることができる。
【００９１】
制御パネル３４ａが操作されることにより、停止要求を生じさせ、燃料電池３１を停止状態とすることが可能となっている。停止状態下の燃料電池３１では、排熱が生じないため、生ごみ処理を実施できない。このため、停止状態下において、燃料電池３１の起動予定が現時点から遅いタイミングである（例えば、１時間以上）場合、生ごみが処理できずに長時間放置されたままとなる。この点、上記構成によれば、生ごみ処理の要求を取得した場合において、燃料電池３１が停止状態であり、かつ所定時間が経過するまでに燃料電池３１の起動予定が入っていなければ、所定時間の経過よりも前に燃料電池３１が起動される。これにより、生ごみが処理できずに長時間放置されたままとなることを抑制できる。
【００９２】
生ごみ処理の実施中において燃料電池３１への停止要求が生じた場合であっても、生ごみ処理の終了（完了）まで燃料電池３１の発電が継続される。これにより、生ごみ処理が完了していないまま生ごみが放置されるといった不都合を抑制できる。
【００９３】
［他の実施形態］
本発明は上記実施形態の記載内容に限定されず、例えば次のように実施されてもよい。
【００９４】
・図２のステップＳ１０２において、制御装置３４は、湯張り用の温水の生成開始から湯張り終了までの期間と、それに引き続き設定された所定の風呂利用期間であるか否かについて判定してもよい。これにより、制御装置３４は、所定の風呂利用期間において生ごみ処理の要求が生じても、生ごみ処理の実施を制限し、温水を生成させることとなる。このため、風呂場２４においてシャワー等により温水が多量に使用されたとしても、これらの使用を考慮して温水を生成することが可能となる。なお、風呂利用期間は、操作パネル２４ｂへの操作により事前に設定可能としてもよく、風呂場２４への温水の供給状況などにより、設定可能としてもよい。例えば、風呂場２４などで大量の温水が使用される期間を風呂利用期間としてもよい。
【００９５】
・湯張り時と比べると、洗面所２２やキッチン２３では温水の使用量が少なくなると考えられる。このため、温水残留量が所定量以上あれば、温水を生成しなくても、貯留されている温水で足りる。そこで、図２のステップＳ１０３において、生成要求信号を入力した場合（ステップＳ１０３：Ｙｅｓ）であっても、温水貯留槽４１における温水残留量が所定量以上である場合、制御装置３４は、ステップＳ１０４の処理を実行させてもよい。つまり、制御装置３４は、生ごみ処理の実施中において温水生成の要求が生じた場合に、その温水生成の要求が湯張り用の要求でなく、かつ温水残留量が所定量以上であれば、生ごみ処理を中断することなく継続させてもよい。これにより、ユーザの温水使用の要求を満たしつつ、必要以上に生ごみ処理を中断させることを抑制できる。
【００９６】
・利用予定情報に、風呂場２４の浴槽に供給させる温水の温度を含ませてもよい。そして、温水の温度により、生成させる温水の量を変更してもよい。例えば、供給させる温水の温度が高い場合には、温度が低い場合と比較して、生成させる温水量を多くするようにしてもよい。
【００９７】
・上記実施形態では、燃料電池３１からの排熱を利用して、生ごみ処理装置３３が利用可能な排熱としての高温の水蒸気を生成していたが、生ごみ処理装置３３が利用可能な排熱の状態は、任意に変更してもよく、例えば、排熱として温水や温風を生成してもよい。
【００９８】
・上記実施形態では、生ごみ処理装置３３と熱回収装置３２との間で、水蒸気（又は水）が循環するように構成されていたが、循環させなくてもよい。すなわち、熱回収装置３２は、外部から供給された水を温めて生ごみ処理装置３３が利用可能な排熱としての水蒸気（又は温水）を生成し、当該水蒸気（又は温水）を生ごみ処理装置３３に供給してもよい。そして、生ごみ処理装置３３は、生ごみ処理に利用して温度が低くなった水蒸気（又は温水）を外部に排出してもよい。
【００９９】
・上記実施形態において、制御装置３４は、起動要求信号を出力した場合には、発電状態であることを記憶し、停止要求信号を出力した場合には、停止状態であることを記憶してもよい。これにより、制御装置３４は、状態通知信号を入力しなくても、燃料電池３１の運転状態を把握することができる。
【０１００】
・生ごみ処理装置として、微生物に適した温度となるように生ごみを排熱により加熱し、微生物に生ごみを分解させるバイオ式生ごみ処理装置を採用してもよい。
【０１０１】
・発電装置として、燃料の燃焼に基づき、電気を発生させる内燃機関を採用してもよい。
【０１０２】
・住宅２０における各種の電気負荷（家電設備等）での電力使用量やその他の要求に応じて燃料電池３１が発電状態又は停止状態になるように要求が生じてもよい。
【０１０３】
・制御パネル３４ａが操作されることにより、燃料電池３１への停止要求及び起動要求を生じさせていたが、停止要求及び起動要求を生じさせる方法を変更してもよい。例えば、予め決められた期間ごとに停止要求及び起動要求を生じさせてもよい。また、例えば、温水の使用状況（具体的には、温水使用時期及び温水使用量など）を記憶しておき、記憶された温水の使用状況に応じて停止要求及び起動要求を生じさせてもよい。具体的には、温水の使用量が少ないと予測される時期において、停止要求を生じさせてもよい。
【符号の説明】
【０１０４】
１０…コージェネレーションシステム（住宅用熱利用システム）、２０…住宅、２２ａ〜２４ａ…蛇口、２４ｂ…操作パネル、３０…発電ユニット、３１…燃料電池（発電装置）、３２…熱回収装置（温水生成装置）、３３…生ごみ処理装置、３４…制御装置、４０…給湯装置。
【図１】
2018054173.tif 000003
【図２】
2018054173.tif 000004
【図３】
2018054173.tif 000005
【図４】
2018054173.tif 000006